(57)【特許請求の範囲】
【請求項１】
圧力流体の供給流路、排出流路及び配線通路を有するマニホールドベースと；該マニホールドベースに設置されマニホールドベースから供給される圧力流体を切り換えて出力する切換弁；とを備えた切換弁組立体において、
上記マニホールドベースが、上記配線通路を通る給電線が接続されたソケットを備え、
上記切換弁が、複数のポート及びこれらのポート間の連通を切り換える弁体を有する主弁と、該主弁にパイロット流体を給排して上記弁体を駆動するソレノイド駆動のパイロット弁とを備え、
上記ソレノイドが、２個のコイル組立体、これらのコイル組立体に給電するための配線を有する配線基板、及び該配線と上記ソケットとを電気的に接続するための給電端子を有する端子ハウジングを、一体にモールドしたモールドソレノイドと；上記給電端子から給電されるランプを有し上記モールドソレノイドに取付けられたランプ基板、及び上記ランプの点灯を視認するためのランプ窓を有しランプ基板を気密に覆うランプカバーとを備え、
上記ソケットと給電端子との接続部が、これらの間に設けたシール部材によって外気から気密にシールされている、
ことを特徴とするダブルソレノイド式封止形切換弁組立体。
【請求項２】
圧力流体の供給流路、排出流路及び配線通路を有するマニホールドベースと；該マニホールドベースに設置されマニホールドベースから供給される圧力流体を切り換えて出力する切換弁；とを備えた切換弁組立体において、
上記マニホールドベースが、上記配線通路を通る給電線が接続されたソケットを備え、
上記切換弁が、複数のポート及びこれらのポート間の連通を切り換える弁体を有する主弁と、該主弁にパイロット流体を給排して上記弁体を駆動するソレノイド駆動のパイロット弁とを備え、
上記ソレノイドが、１個のコイル組立体及び１個のダミーケース、上記コイル組立体に給電するための配線を有する配線基板、並びに該配線とソケットとを電気的に接続するための給電端子を有する端子ハウジングを、一体にモールドしたモールドソレノイドと；上記給電端子から給電されるランプを有し上記モールドソレノイドに取付けられたランプ基板、及び上記ランプの点灯を視認するためのランプ窓を有しランプ基板を気密に覆うランプカバーとを備え、
上記ソケットと給電端子との接続部が、これらの間に設けたシール部材によって外気から気密にシールされている、
ことを特徴とするシングルソレノイド式封止形切換弁組立体。
【請求項３】
マニホールドベースが、外部パイロット供給流路と外部パイロット排出流路を備え；切換弁が、これらのパイロット流路に個別に連通するパイロット供給ポートとパイロット排出ポートを備えている、
ことを特徴とする請求項１または請求項２に記載した封止形切換弁組立体。
【発明の詳細な説明】
【０００１】
【発明の属する技術分野】
本発明は、ソレノイド駆動のパイロット弁に給電するための給電部を外気から気密にシールした封止形切換弁組立体に関するものである。
【０００２】
【従来の技術】
マニホールドベースに設置され、該マニホールドベースから給電されるソレノイドで駆動されるパイロット式切換弁は、ソレノイドに給電する給電部が外気に曝されると湿気によって絶縁性が低下する恐れがあり、給電部の絶縁性が低下すると切換弁組立体の寿命が短くなるので、給電部を外気から気密にシールする必要がある。
上記パイロット式切換弁のソレノイドに給電する給電部を外気から気密にシールするために、マニホールドベースのソケットと切換弁の給電端子との接続部を、これらの間に設けたシール部材で気密にシールした切換弁組立体は、既に知られている（一例として特開平４−２７２５８３号公報参照）。
【０００３】
上記公知の切換弁組立体は、上記シール部材によってマニホールドベースと切換弁との間の給電部を外気から気密にシールすることができるが、ソレノイド自体のシールについての配慮に欠けるところがあり、ソレノイドのコイル端子や該コイル端子に給電するための配線基板等が外気に対して気密にシールされていないために、長時間使用するとこれらの絶縁性が低下する恐れがある。また、ソレノイドに、該ソレノイドへの通電を視認するためのランプを設けた場合は、このランプの給電部も外気から気密にシールする必要がある。
【０００４】
【発明が解決しようとする課題】
本発明が解決しようとする課題は、ソレノイド駆動のパイロット弁に給電するための給電部を外気から気密にシールした封止形切換弁組立体を提供することにある。
【０００５】
【課題を解決するための手段】
上記課題を解決するため、本発明のダブルソレノイド式封止形切換弁組立体は、次のような構成（参考のために図中の番号を付す。）を備えることを特徴とするものであり、即ち、圧力流体の供給流路５、排出流路６及び配線通路１４を有するマニホールドベース２と；該マニホールドベース２に設置されマニホールドベース２から供給される圧力流体を切り換えて出力する切換弁３，７０;とを備えた切換弁組立体１において、上記マニホールドベース２が、上記配線通路１４を通る給電線１５が接続されたソケット１６を備え、上記切換弁３，７０が、複数のポートＰ，Ａ，Ｂ，ＥＡ，ＥＢ及びこれらのポート間の連通を切り換える弁体２４を有する主弁２０，７１と、該主弁にパイロット流体を給排して上記弁体２４を駆動するソレノイド駆動のパイロット弁２１とを備え、上記ソレノイドが、２個のコイル組立体３７、これらのコイル組立体３７に給電するための配線を有する配線基板４２、及び該配線と上記ソケット１６とを電気的に接続するための給電端子４３を有する端子ハウジング４４を、一体にモールドしたモールドソレノイド３１と;上記給電端子４３から給電されるランプ４８（図３）を有し上記モールドソレノイド３１に取付けられたランプ基板４９、及び上記ランプ４８の点灯を視認するためのランプ窓５０ａを有しランプ基板４９を気密に覆うランプカバー５０とを備え、上記ソケット１６と給電端子４３との接続部が、これらの間に設けたシール部材１７によって外気から気密にシールされていることを特徴としている。、
【０００６】
また、同様の課題を解決するため、本発明のシングルソレノイド式封止形切換弁組立体は、上記封止形切換弁組立体におけるソレノイドが、１個のコイル組立体３７及び１個のダミーケース８５、上記コイル組立体３７に給電するための配線を有する配線基板４２、並びに該配線とソケット１６とを電気的に接続するための給電端子４３を有する端子ハウジング４４を、一体にモールドしたモールドソレノイド８４と;上記給電端子４３から給電されるランプ４８を有し上記モールドソレノイド８４に取付けられたランプ基板４９、及び上記ランプ４８の点灯を視認するためのランプ窓５０ａを有しランプ基板４９を気密に覆うランプカバー５０とを備え、上記ソケット１６と給電端子４３との接続部が、これらの間に設けたシール部材１７によって外気から気密にシールされていることを特徴としている。、
【０００７】
さらに、同様の課題を解決するため、これらの封止形切換弁組立体におけるマニホールドベース２が、外部パイロット供給流路７と外部パイロット排出流路８を備え；切換弁７０，８８が、これらのパイロット流路に個別に連通するパイロット供給ポートＰＡとパイロット排出ポートＰＥを備えていることを特徴としている。
【０００８】
【作用及び発明の効果】
切換弁におけるパイロット弁のソレノイドを、２個のコイル組立体または１個のコイル組立体及び１個のダミーケースと、このコイル組立体に給電するための配線を有する配線基板と、該配線とマニホールドベースのソケットを電気的に接続するための給電端子を有する端子ハウジングとを、一体にモールドしたモールドソレノイドとしたことにより、コイル組立体に給電する給電部が、モールドによって外気から気密にシールされる。
また、このモールドソレノイドに取付けた、ソレノイドへの給電を視認するためのランプを有するランプ基板は、該ランプ基板を覆うランプカバーによって気密にシールされるので、ランプへの給電部も外気から気密にシールされる。
【０００９】
上記モールドソレノイドを有する切換弁をマニホールドベースに設置すると、マニホールドに設けたソケットとモールドソレノイドに設けた端子ハウジングの給電端子とが電気的に接続されるので、マニホールドベースに設けた配線通路を通る給電線からモールドソレノイドに給電することができ、この給電部は、マニホールドベースと切換弁との間のシール部材によって外気から気密にシールされる。
したがって、マニホールドベースのソケットから給電される、ソレノイド駆動のパイロット弁の給電部が外気の影響を全く受けないので、切換弁組立体の寿命を大幅に長くすることができる。
また、モールドソレノイドに、別体のランプ基板とランプカバーを取付けたので、一体にモールドしたソレノイドと関係なくこれらの部材の交換やメンテナンスを行うことができる。
【００１０】
切換弁がダブルソレノイド式の場合は、モールドソレノイドの２個のコイル組立体に交互に通電すると、パイロット弁から給排されるパイロット流体によって主弁のポート間の流体の流れが切り換えられる。
切換弁がシングルソレノイド式の場合は、モールドソレノイドの１個のコイル組立体の通電及びその解除によって、主弁のポート間の流体の流れが切り換えられる。
また、マニホールドベースが、外部パイロット供給流路と外部パイロット排出流路を有し、切換弁がこれらの流路に個別に連通する外部パイロット供給ポートと外部パイロット排出ポートを有する場合は、これらの切換弁を外部パイロット式とすることができる。
【００１１】
【発明の実施の形態】
図１ないし図３は本発明の第１実施例を示し、この封止形切換弁組立体１は、連設可能なマニホールドベース２と、マニホールドベース２の弁設置面２ａに設置されたダブルソレノイド形の内部パイロット式切換弁３とを備えている。
上記マニホールドベース２は、連設方向に貫通する圧力流体の供給流路５、共通の排出流路６、外部パイロット供給流路７及び外部パイロット排出流路８を備え、上記排出流路６以外の各流路はいずれも弁設置面２ａに個別に開口し、排出流路６は排出通路６Ａ，６Ｂによって弁設置面２ａの２箇所に開口している。
一端が弁設置面２ａに開口する圧力流体の出力流路９Ａ，９Ｂは、他端がマニホールドベース２の前面に開口し、これらの出力流路の前面開口に、図示を省略しているチューブを挿入するとそのチューブを係止し、リリースブッシュ１０ａを押圧するとその係止を解除してチューブを抜き取ることができる、いわゆるワンタッチ管継手１０がそれぞれ取付けられている。
【００１２】
上記マニホールドベース２の弁設置面２ａには、切換弁３を取付けるための複数個のナット１１（１個のみ図示）と、各流路の弁設置面における開口の周囲を個別に囲む一体成形のガスケット１２とが設けられている。
また、マニホールドベース２の後方部分には、弁設置面２ａより低いソレノイド取付面２ｂと、該ソケット取付面に開口するソケット取付部２ｃとが一体に形成されており、連設方向に貫通する配線通路１４はソケット取付部２ｃに開口している。そして、ソケット取付部２ｃに取付けられたソケット１６には、配線通路１４を通る給電線１５，・・が電気的に接続されており、ソレノイド取付面２ｂにおけるソケット取付部２ｃの開口に、該開口の周囲を囲むシール部材１７が設けられている。
【００１３】
上記切換弁３は、内部パイロット式の主弁２０と、該主弁２０にパイロット流体を給排するダブルソレノイド形のパイロット弁２１とを備えている。
上記主弁２０の弁ボディ２２は、下面（マニホールドベース２への設置面）に開口する圧力流体の供給ポートＰ、出力ポートＡ，Ｂ及び排出ポートＥＡ，ＥＢと、これらのポートが開口する軸方向の弁孔２３と、マニホールドベース２に取付けるための複数個の取付ねじ２５，・・（１個のみ図示）とを備え、弁孔２３に、出力ポートＡとＢを供給ポートＰと排出ポートＥＡまたはＥＢとに切り換えて連通させる弁体２４が、気密に摺動可能に挿入されている。
【００１４】
上記弁ボディ２２の一側面には第１プレート２７ａとパイロット弁２１のパイロット弁ボディ３２が、他側面には第２プレート２７ｂが、いずれも取付ねじ等の適宜の手段によって気密に取付けられている。また、上記第１プレート２７ａに形成された第１ピストン室２８ａには第１ピストン２９ａが、第２プレート２７ｂに形成された第１ピストン室と同径の第２ピストン室２８ｂには第２ピストン２９ｂが、いずれも気密に摺動可能に挿入されており、弁体２４はこれらのピストン２９ａ，２９ｂで押圧されて図において往復動する。
【００１５】
図２に詳細を示す上記パイロット弁２１は、モールドソレノイド３１と上記パイロット弁ボディ３２とを備えている。
モールドソレノイド３１は、コイル３３を巻いたボビン３４と、該ボビンの中心孔の一端に取付けた固定鉄心３５と、コイル端子３６，３６とを有する２個のコイル組立体３７，３７を、１個の磁気フレーム３９と１個の磁気プレート４０内に並置し、さらに磁気フレーム３９に取付けた基板台４１に、印刷配線を有する配線基板４２と、４個の給電端子４３，・・（図３参照）を有する端子ハウジング４４とを組み付けて、これらを適宜の合成樹脂で一体にモールド４５したものとして構成されており、配線基板４２の印刷配線には、電子部品（図示の例はツエナダイオード）４２ａ，・・が取付けられている。また、給電端子４３，・・には、その外周面を気密にシールするゴムキャップ４６が嵌着されている。
【００１６】
上記モールドソレノイド３１は、モールド４５によってコイル３３への給電部が外気から気密にシールされており、コイル３３，３３は、給電端子４３，・・、配線基板４２の印刷配線及びコイル端子３６，・・によって給電される。
また、上記端子ハウジング４４は、マニホールドベース側が開口するソケット部４４ａを備え、該ソケット部４４ａ内に給電端子４３，・・の一端が突出している。
【００１７】
図２及び図３に示すように、上記モールドソレノイド３１の軸方向端面には、給電端子４３，・・に電気的に接続される印刷配線、及び該印刷配線に電気的に接続されるランプ４８，４８を有するランプ基板４９と、ランプ４８，４８の点灯を外部から視認するための透明または半透明のランプ窓５０ａを有しランプ基板４９を覆うランプカバー５０とが、補助ねじ５１，５１によって取付けられている。この場合、ランプカバー５０のモールドソレノイド３１への当接面は、該カバーに取付けたカバーガスケット５２によって気密にシールされ、ランプカバー５０における補助ねじ５１，５１の挿入部は、図示を省略しているパッキン等の適宜の手段によって気密にシールされる。
そして、ランプ基板４９とランプカバー５０とが取付けられたモールドソレノイド３１は、これらを通る取付ねじ５３，５３によってパイロット弁ボディ３２に気密に取付けられる。
したがって、モールドソレノイド３１に取付けられたランプ４８，４８等への給電部も、外気から気密にシールされている。
【００１８】
上記コイル組立体３７におけるボビン３４の中心孔には、磁気プレート４０の孔を通る可動鉄心５５がそれぞれ摺動可能に挿入されている。
また、パイロット弁ボディ３２の可動鉄心５５と対向する位置には、第１、第２パイロット供給弁室５６ａ，５６ｂが、その延長線上には第１、第２パイロット出力弁室５７ａ，５７ｂがそれぞれ形成されており、これらのパイロット供給弁室とパイロット出力弁室は、パイロット弁ボディ３２に開設した貫通路５８，・・によって互いに連通している。また、これらの弁室には、第１、第２パイロット供給弁座５９ａ，５９ｂと第１、第２パイロット排出弁座６０ａ，６０ｂが形成されている。
【００１９】
上記第１、第２パイロット供給弁座５９ａ，５９ｂを開閉する第１、第２パイロット供給弁体６１ａ，６１ｂと、第１、第２パイロット排出弁座６０ａ，６０ｂを開閉する第１、第２パイロット排出弁体６２ａ，６２ｂは、それぞれ弁ばねによって対応する弁座を閉鎖する方向に付勢され、貫通路５８，・・に遊挿された押圧部材（図示省略）によって、パイロット供給弁体６１ａ，６１ｂがパイロット供給弁座５９ａ，５９ｂを開放したときはパイロット排出弁体６２ａ，６２ｂがパイロット排出弁座６０ａ，６０ｂを閉鎖し、パイロット供給弁体６１ａ，６１ｂがパイロット供給弁座５９ａ，５９ｂを閉鎖したときはパイロット排出弁体６２ａ，６２ｂがパイロット排出弁座６０ａ，６０ｂを開放するように、関係付けられている。
また、コイル３３，３３への通電が解除されているときは、可動鉄心５５の復帰ばねの付勢力によって、パイロット供給弁体６１ａ，６１ｂがパイロット供給弁座５９ａ，５９ｂを閉鎖している。
【００２０】
上記パイロット供給弁座５９ａ，５９ｂは、パイロット弁ボディ３２、第１プレート２７ａ及び弁ボディ２２に形成した内部パイロット供給通路６４によって主弁２０の供給ポートＰに連通するとともに、パイロット弁ボディ３２の下面に開口している。また、パイロット排出弁座６０ａ，６０ｂは、パイロット弁ボディ３２及び第１プレート２７ａに形成したパイロット排出通路６５によって第１ピストン２９ａと弁孔２３間の室に連通し、さらに弁孔２３と弁体２４に嵌着したチェックシール２４ａ及びウエアリング２４ｂとの間を介して排出ポートＥＡに連通するとともに（図１の矢印参照）パイロット弁ボディ３２の下面に開口している。
このチェックシール２４ａは、パイロット流体の排出空気圧が排出ポートＥＡの空気圧より高いときは、リップを縮径させてパイロット流体の排出を許容し、これらの間の空気圧の高低が逆の場合は、リップが拡径して排出ポートＥＡとの連通を遮断するものである。
【００２１】
上記第１パイロット出力弁室５７ａは第１パイロット出力通路６６ａによって第１ピストン室２８ａに、第２パイロット出力弁室５７ｂは第２パイロット出力通路６６ｂ（一部図示省略）によって第２ピストン室２８ｂに、それぞれ連通している。
なお、図示の例においては、パイロット供給通路６４及びパイロット排出通路６５におけるパイロット弁ボディ３２下面の開口は、いずれもプラグによって閉鎖されている。
図１中の符号６７ａ，６７ｂは、停電等によってソレノイドによる弁体２４の駆動ができなくなったときに、押圧によって第１ピストン室２８ａと第２ピストン室２８ｂにパイロット流体を供給する手動操作部である。
【００２２】
上記第１実施例は、補助ねじ５１，５１により、モールドソレノイド３１に、ランプ基板４９及びランプカバー５０を気密に取付け、次いでこのモールドソレノイド３１を、取付ねじ５３，５３によって、パイロット弁ボディ３２を組み付けた主弁２０に取付けると切換弁３が構成され、ランプ４８，４８への給電部はカバーガスケット５２によって外気から気密にシールされる。
切換弁３の取付ねじ２５，・・をマニホールドベース２のナット１１，・・に螺着すると、切換弁３がマニホールドベース２に取付けられて、マニホールドベース２におけるパイロット流路７，８以外の各流路が切換弁３の対応するポートに個別に連通するとともに、端子ハウジング４４のソケット部４４ａがソケット取付部２ｃに挿入されて、ソケット１６と給電端子４３，・・とが電気的に接続され、これらの連通部及び接続部の周囲がガスケット１２とシール部材１７とによって気密にシールされる。
この場合、マニホールドベース２におけるパイロット供給流路７とパイロット排出流路８の開口は、主弁２０の弁ボディ２２によって閉鎖される。
【００２３】
上記切換弁組立体１は、モールドソレノイド３１への給電部のすべてが外気から気密にシールされるので、その寿命を大幅に長くすることができる。また、モールドソレノイド３１に、別体のランプ基板４９を取付けたので、切換弁３をマニホールドベース２から取り外すことなく、ランプ４８やランプ基板４９を交換することができる。
【００２４】
上記切換弁組立体１は、第１のコイル３３に給電すると第１パイロット供給弁体６１ａが第１パイロット供給弁座５９ａを開放するので、第１パイロット出力通路６６ａから第１ピストン室２８ａにパイロット流体が供給されて弁体２４が図において右動し、これによって供給ポートＰと出力ポートＡ及び出力ポートＢと排出ポートＥＢが連通する。
第１のコイル３３の給電を解除して第２のコイル３３に給電すると、第１パイロット供給弁体６１ａと第２パイロット排出弁体６２ｂがそれぞれ対応する弁座を閉鎖するとともに、第１パイロット排出弁体６２ａと第２パイロット供給弁体６１ｂがそれぞれ対応する弁座を開放するので、第１ピストン室２８ａのパイロット空気が外部に排出されるとともに、第２パイロット出力通路６６ｂから第２ピストン室２８ｂにパイロット流体が供給され、これにより弁体２４が図において左動して、供給ポートＰと出力ポートＢ及び出力ポートＡと排出ポートＥＡが連通する。
この場合、コイル３３，３３への給電は、ランプ４８，４８の点灯によって外部から視認することができる。
【００２５】
図４は本発明の第２実施例を示し、この封止形切換弁組立体における切換弁７０は、ダブルソレノイド形の外部パイロット式切換弁として構成されており、第１実施例と同じくマニホールドベース２に設置される。
上記切換弁７０における主弁７１の弁ボディ７２は、マニホールドベース２に設置すると、その弁設置面２ａに開口するパイロット供給流路７及びパイロット排出流路８に連通する、外部パイロット供給ポートＰＡと外部パイロット排出ポートＰＥとを備えている。
上記外部パイロット供給ポートＰＡは、第１プレート２７ａ及びパイロット弁ボディ３２に形成した通路７４によってパイロット供給通路６４に連通し、パイロット排出通路６５は、第１ピストン２９ａと弁孔２３間の室、弁体２４の軸方向に形成した貫通孔７５、及び第２ピストン２９ｂと弁孔２３間の室を介して外部パイロット排出ポートＰＥに連通している（図の矢印参照）。また、上記弁体２４の第２ピストン２９ｂ側の外周は、Ｏリング２４ｃによってシールされている。
第２実施例の他の構成は第１実施例と同じであるから、図の主要な同一の箇所に同一の符号を付して、説明は省略する。
第２実施例の作用は、外部パイロットポートＰＡと外部パイロットポートＰＥからピストン室２８ａ，２８ｂにパイロット流体が給排される点以外は第１実施例と同じであるから、説明は省略する。
【００２６】
図５は本発明の第３実施例を示し、この封止形切換弁組立体における切換弁７８は、シングルソレノイド形の内部パイロット式切換弁として構成されており、第１実施例と同じくマニホールドベース２に設置される。
上記切換弁７８における主弁７９の弁ボディ８０は、第２ピストン室２８ｂと第２ピストン２９ｂが、第１ピストン室２８ａと第２ピストン２９ａより小径とされ、かつ第２ピストン室２８ｂがパイロット通路８１によってパイロット供給通路６４に直接連通している以外は、第１実施例の弁ボディ２２と同じ構成を備えている。したがって、図における主要な同一の箇所に同一の符号を付して説明は省略する。
【００２７】
切換弁７８におけるパイロット弁８３を構成するモールドソレノイド８４は、２個のコイル組立体３７，３７に代えて、１個のコイル組立体３７と、該コイル組立体３７と外形が同形で合成樹脂によって一体に形成された１個のダミーケース８５とを、磁気フレーム３９と磁気プレート４０内に並置し、第１実施例のモールドソレノイド３１と同様に配線基板４２及び端子ハウジング４４を組み付けて、これらを一体にモールド４５したものとして構成されている。そして、モールドソレノイド８４には、第１実施例と同様にランプ４８，４８を有するランプ基板４９と、カバーガスケット５２によってランプ基板を気密に覆うランプカバー５０とが取付けられている。
この場合、ダミーケース８５以外はモールドソレノイド３１と同一の部品を使用することができ、これによってソレノイドの構成部品点数を少なくすることができる。しかしながら、配線基板４２、給電端子４３，・・を有する端子ハウジング４４、ランプ基板４９等は、シングルソレノイド用の別の部品を使用することもできる。
【００２８】
上記主弁７９に取付けられるパイロット弁ボディ８６は、コイル組立体３７の可動鉄心５５と対向する位置にパイロット供給弁室５６を、その延長線上にパイロット出力弁室５７を備え、これらの弁室５６と５７に形成したパイロット供給弁座とパイロット排出弁座は、第１実施例と同様に連結部材により一体に移動するパイロット供給弁体６１とパイロット排出弁体６２とによって開閉される。また、第１実施例の第２パイロット供給弁室と第２パイロット排出弁室に相当する箇所は、パイロット弁ボディ８６においては密閉された空室とされている。
パイロット弁８３の他の構成はパイロット弁２１と同じであるから、図の主要な同一の箇所に同一の符号を付して、説明は省略する。
【００２９】
上記第３実施例は、コイル３３に給電すると第１ピストン室２８ａにパイロット流体が供給されるので、ピストン室２８ａと２８ｂとの径差によりピストン２９ａ，２９ｂが弁体２４とともに図において右動して、供給ポートＰと出力ポートＡ及び出力ポートＢと排出ポートＥＢが連通する。
コイル３３の給電を解除すると、第１ピストン室２８ａのパイロット流体が外部に排出されるので、第２ピストン室２８ｂに供給されているパイロット流体によりピストン２９ａ，２９ｂと弁体２４が図において左動して、供給ポートＰと出力ポートＢ及び供給ポートＡと排出ポートＥＡが連通する。
第３実施例の他の作用は第１実施例と同じであるから、説明は省略する。
【００３０】
図６は本発明の第４実施例を示し、この封止形切換弁組立体における切換弁８８は、シングルソレノイド形の外部パイロット式切換弁として構成されており、外部パイロット式の主弁８９と、該主弁に外部パイロット流体を給排するシングルソレノイド式のパイロット弁８３とを備えている。
上記主弁８９の弁ボディ９０は、下面（マニホールドベース２への設置面）に開口する圧力流体の供給ポートＰ、出力ポートＡ，Ｂ及び排出ポートＥＡ，ＥＢ、並び外部パイロット供給ポートＰＡ及び外部パイロット排出ポートＰＥとを備えている。
【００３１】
また、上記切換弁７０と同様に、外部パイロット供給ポートＰＡは通路７４によってパイロット供給通路６４に連通し、パイロット排出ポートＰＥは、図４に示す主弁７１と同様に、弁体２４に設けた貫通孔７５等によってパイロット排出通路６５に連通している。
第４実施例の他の構成及び作用は、実質的に第２実施例と同じであるから、図の主要な同一の箇所に同一の符号を付して、詳細な説明は省略する。
【００３２】
これらの実施例の切換弁はいずれも５ポート弁であるが、本発明の切換弁は５ポート弁に限定されるものではなく、２個の出力ポートと１個の排出ポートとを有する４ポート弁、または１個の供給ポート、出力ポート及び排出ポートを有する３ポート弁とすることができる。
また、切換弁を４ポート弁または３ポート弁とした場合に、マニホールドベースをこれらの切換弁のポート数に対応する流路及び開口を有するものとすることは、勿論である。
【００３３】
図７は、第１実施例の使用態様の一例を示し、所望の数（図示の例では５個）連設された切換弁組立体１は、連設方向の一端に配管ブロック９３を、他端にコネクタブロック９４を備え、これらのマニホールドベース２，・・とブロック９３，９４は、図示を省略している連結ボルト等の適宜の手段によって一体に連設されている。
また、各マニホールドベース２に形成した連設方向に貫通する各流路は、配管ブロック９３に設けた供給開口９５、排出開口９６、外部パイロット供給開口９７及び外部パイロット排出開口９８にそれぞれ連通し、これらの開口９５〜９８に、それぞれワンタッチ管継手１０が取付けられている。
一方、コネクタブロック９４は、配線通路を通る給電線が電気的に接続された給電コネクタ９９を備え、各切換弁３のソレノイドは給電コネクタ９９から一括して給電される。
【００３４】
図７に示す切換弁３は内部パイロット式であるが、この切換弁を例えば図４に示す切換弁７０にすると、外部パイロット供給開口９７及び外部パイロット排出開口９８から、各切換弁に外部パイロット流体を給排することができる。
【図面の簡単な説明】
【図１】第１実施例の分解縦断図である。
【図２】同じく要部の拡大断面図である。
【図３】同じくソレノイドの分解斜視図である。
【図４】第２実施例の切換弁の縦断面図である。
【図５】第３実施例の切換弁の縦断正面図である。
【図６】第４実施例の切換弁の縦断正面図である。
【図７】使用態様の一例を示す斜視図である。
【符号の説明】
２    マニホールドベース
２ｃ  ソケット取付部
３，７０，７８，８８  切換弁
５    供給流路
６    排出流路
７    パイロット供給流路
８    パイロット排出流路
１２  ガスケット
１４  配線通路
１５  給電線
１６  ソケット
１７  シール部材
２０，７１，７９，８９  主弁
２１，８３  パイロット弁
２４  弁体
３１，８４  モールドソレノイド
３７  コイル組立体
４２  配線基板
４３  給電端子
４４  端子ハウジング
４５  モールド
４８  ランプ
４９  ランプ基板
５０  ランプカバー
５０ａ  ランプ窓
８５  ダミーケース
ＰＡ，ＰＥ  パイロットポート
【図１】
0003837205.tif 000002
【図２】
0003837205.tif 000003
【図３】
0003837205.tif 000004
【図４】
0003837205.tif 000005
【図５】
0003837205.tif 000006
【図６】
0003837205.tif 000007
【図７】
0003837205.tif 000008